(57)【要約】      （修正有）【課題】露出線スプリングに荷重が加えられた時、露出線スプリングが本体スプリングの上下端巻線に触れない接触防止機能と、露出線スプリングが側方向に変位せず垂直方向にのみ安定的に上下降するように案内する剛性発揮機能を同時に有する接触防止及び剛性補強構造を有するベッドマットレス用スプリングを提供する。【解決手段】コイル形態の本体スプリング１０と、この本体スプリング１０の上下部に水平に巻かれた上端及び下端スプリング１６，１８と、上端スプリング１６の上側一体に形成された露出線スプリング２０と、上端スプリング１６と露出線スプリング２０とを結ぶ連結端を含むベッドマットレス用スプリング構造において、上端スプリング１６と露出線スプリング２０一体を結ぶ連結端に本体スプリング１０の最上端巻線１２の外側に位置された上端スプリング１６の終端から上方向にＺ字に折り曲げられた第１接触防止／剛性補強端３０を形成した。【選択図】図１ａ
2007275543.tif 000002
【特許請求の範囲】
【請求項１】
コイル形態の本体スプリングと、前記本体スプリングの上下部に水平に巻かれた上端及び下端スプリングと、前記上端スプリングの上側一体に形成された露出線スプリングと、前記上端スプリングと露出線スプリング一体を結ぶ連結端を含むベッドマットレス用スプリング構造において、
前記上端スプリングと露出線スプリング一体を結ぶ連結端に前記本体スプリングの最上端巻線の外側に位置された前記上端スプリングの終端から上方向にＺ字に折り曲げられた第１接触防止／剛性補強端を形成することを特徴とする接触防止及び剛性補強構造を有するベッドマットレス用スプリング。
【請求項２】
コイル形態の本体スプリングと、前記本体スプリングの上下部に水平に巻かれた上端及び下端スプリングと、前記上端スプリングの上側一体に形成された露出線スプリングと、前記上端スプリングと露出線スプリング一体を結ぶ連結端を含むベッドマットレス用スプリング構造において、
前記上端スプリングと露出線スプリング一体を結ぶ連結端に前記本体スプリングの最上端巻線の外側に位置された前記上端スプリングの終端から上方向にＺ字に折り曲げられた第１接触防止／剛性補強端を形成し、前記第１接触防止／剛性補強端の下側に位置された前記本体スプリングの最上端巻線にも上方向にＺ字に折り曲げられた第２接触防止／剛性補強端を形成することを特徴とする接触防止及び剛性補強構造を有するベッドマットレス用スプリング。
【請求項３】
コイル形態の本体スプリングと、前記本体スプリングの上下部に水平に巻かれた上端及び下端スプリングと、前記上端スプリングの上側一体に形成された露出線スプリングと、前記上端スプリングと露出線スプリング一体を結ぶ連結端を含むベッドマットレス用スプリング構造において、
前記上端スプリングと露出線スプリング一体を結ぶ連結端に前記本体スプリングの最上端巻線の外側に位置された前記上端スプリングの終端から上方向にＺ字に折り曲げられた第１接触防止／剛性補強端を形成し、前記下端スプリングの下側一体に露出線スプリングを更に形成しながら、前記下端スプリングと露出線スプリングとの間の連結端に前記第１接触防止／剛性補強端を同様に更に形成することを特徴とする接触防止及び剛性補強構造を有するベッドマットレス用スプリング。
【請求項４】
コイル形態の本体スプリングと、前記本体スプリングの上下部に水平に巻かれた上端及び下端スプリングと、前記上端スプリングの上側一体に形成された露出線スプリングと、前記上端スプリングと露出線スプリング一体を結ぶ連結端を含むベッドマットレス用スプリング構造において、
前記上端スプリングと露出線スプリング一体を結ぶ連結端に前記本体スプリングの最上端巻線の外側に位置された前記上端スプリングの終端から上方向にＺ字に折り曲げられた第１接触防止／剛性補強端を形成し、前記第１接触防止／剛性補強端の外側に位置された前記本体スプリングの最上端巻線に上方向にＺ字に折り曲げられた第２接触防止／剛性補強端を形成し、前記下端スプリングの下側一体に露出線スプリングを更に形成しながら前記下端スプリングと露出線スプリングとの間の連結端に前記第１接触防止／剛性補強端を同様に更に形成すると共に前記下端スプリングから本体スプリングの最下端巻線へ続く部分に前記第２接触防止／剛性補強端を同様に更に形成することを特徴とする接触防止及び剛性補強構造を有するベッドマットレス用スプリング。
【請求項５】
コイル形態の本体スプリングと、前記本体スプリングの上下部に水平に巻かれた上端及び下端スプリングと、前記上端スプリングの上側一体に形成された露出線スプリングと、前記上端スプリングと露出線スプリング一体を結ぶ連結端を含むベッドマットレス用スプリング構造において、
前記上端スプリングと露出線スプリング一体を連結する連結端に前記本体スプリングの最上端巻線の外側に位置された前記上端スプリングの終端からＺ字に折り曲げられた第１接触防止／剛性補強端を形成し、前記第１接触防止／剛性補強端の下側に位置された前記本体スプリングの最上端巻線のＺ字に折り曲げられれた第２接触防止／剛性補強端を形成し、前記下端スプリングから本体スプリングの最下端巻線へ続く部分に前記第２接触防止／剛性補強端を同様に更に形成することを特徴とする接触防止及び剛性補強構造を有するベッドマットレス用スプリング。
【請求項６】
前記第１及び第２接触防止／剛性補強端の高さが５〜６０ｍｍであることを特徴とする請求項１乃至５のうちいずれか１項に記載の接触防止及び剛性補強構造を有するベッドマットレス用スプリング。
【請求項７】
前記本体スプリングの垂直軸に対する前記第１及び第２接触防止／剛性補強端のＺ字の角度は０°〜７０°の範囲であることを特徴とする請求項１乃至５のうちいずれか１項に記載の接触防止及び剛性補強構造を有するベッドマットレス用スプリング。
【発明の詳細な説明】
【技術分野】
【０００１】
本発明は、接触及び剛性補強構造を有するベッドマットレス用スプリングに関し、更に詳しくは、ベッドマットレス用スプリングの本体スプリングと露出線スプリングとを結ぶ連結端構造を本体スプリングの最上端巻線及び最下端巻線の少なくとも一方に触れない構造に改善すると同時に、露出線スプリングに荷重が加えられた時、露出線スプリングが片側に傾くなどの変位現象が発生せず垂直方向にのみ上下降するように剛性を補強した構造に改善し、摩擦接触による騒音を防止すると共にスプリングの側方向への変位及び変形現象を防止してスプリングの寿命を延長させた接触防止及び合成補強構造を有するベッドマットレス用スプリングに関する。
【背景技術】
【０００２】
一般的に、ベッド用マットレスはベッドのフレーム上に搭載されてクッション力及び緩衝力を提供する手段として、基本的にスプリング組立体と、このスプリング組立体の上下面に積層、付着される中間部材と、スプリング組立体の周辺面に差し込まれて付着されるエッジフォーマーと、前記中間部材及びエッジフォーマーの表面を包むカバー部材などを含めて製造されている。
【０００３】
特に、前記スプリング組立体は、マットレス全体にわたり等間隔で配列されるスプリングと、このスプリングを結束させるらせんコイル（helical coil）で構成される。
【０００４】
ここで、本発明の理解のためベッド用マットレスの製作工程を添付した図１３を参照に簡略に見てみると下記の通りである。
【０００５】
多数のスプリング１をマットレス全体にわたり左右等間隔で配列させると同時に、らせんコイルで固定させて構成されるスプリング組立体２の製作段階と、前記スプリング組立体２の周辺面に支持手段として、エッジフォーマー３（edge former）を挿入、付着した後、前記スプリング組立体２の上下面に中間部材４として、フェルト及び不織布を含む数重のクッションを連続的に積層する段階と、前記中間部材４の上下面及び周辺面そしてエッジフォーマー３の外表面などをカバー５でかぶせた後、カバー５の継ぎ目を縫合手段６で縫合処理する段階とを通してベッド用マットレスの製作が行われる。
【０００６】
したがって、使用者の就寝または休息時にマットレスに加えられる荷重が前記中間部材のクッション力及びスプリングの緩衝力により吸収及び緩衝され、使用者は快適感を感じるようになる。
【０００７】
ここで、スプリング組立体を構成する従来のベッドマットレス用スプリング構造を見てみると下記の通りである。
【０００８】
添付した図１０ａ及び図１０ｂは従来のスプリング構造についての一例を表した斜視図及び側面図である。
【０００９】
図１０ａ及び図１０ｂに図示したように、従来のスプリング６００は中央部から上下方向に向かってその直径が次第に大きくなるコイル形態の本体スプリング１０と、前記本体スプリング１０の最上端巻線１２の終端部分に水平に巻いて連結された上端スプリング１６と、前記本体スプリング１０の最下端巻線１４の終端部分に水平に巻いて連結された下端スプリング１８とに分けることができる。
【００１０】
この時、前記上端スプリング１６の終端は前記本体スプリング１０の最上端巻線１２の終端部分にねじられる形で固定され、前記下端スプリング１８の終端は前記本体スプリング１０の最下端巻線１４の終端部分にねじられる形で固定される。
【００１１】
しかし、前記従来のスプリングを適用してベッド用マットレスを製作した時、下記のような短所を有する。
【００１２】
マットレスに加えられた荷重はスプリングで最終緩衝して吸収されるため、大小全ての荷重をスプリングが最終的に緩衝して吸収する。
【００１３】
このように互いに異なる荷重が不規則的に集中すると、スプリングの変形が早く進んでしまう憂慮があり、またスプリングの変形により隣り合うスプリング同士が接触して騒音発生の原因になる得る。
【００１４】
このような点を勘案し、大小の荷重を別途に分散、緩衝させることができるようにした二重緩衝構造を有する異なる形態のスプリングが製作され、その形状は添付した図１１ａ乃至図１１ｃに図示した通りである。
【００１５】
図１１ａ乃至図１１ｃに図示したスプリング７００は、図１０ａ及び図１０ｂに図示されたスプリング構造のように、中央部から上下方向に向かってその直径が大きくなるコイル形態の本体スプリング１０と、前記本体スプリング１０の最上端巻線１２の終端部分に水平に巻いて連結された上端スプリング１６と、前記本体スプリング１０の最下端巻線１４の終端部分に水平に巻いて結ばれた下端スプリング１８とに分けることができ、特に前記上端スプリング１６の上側一体に別途の露出線スプリング２０が形成されている点に特徴がある。
【００１６】
この時、前記上端スプリング１６の終端は前記露出線スプリング２０と一体となって連結され、前記下端スプリング１８の終端は前記本体スプリング１０の最下端巻線１４の終端部分にねじられる形で固定される。
【００１７】
前記露出線スプリング２０は本体スプリング１０より小さい直径を持ちながらコイル形態に巻かれた形状を有し、もちろん前記本体スプリング１０に比べて容易に圧縮変形される弾性力を有する。
【００１８】
特に、前記上端スプリング１６の終端から露出線スプリング２０に続く部分（以下、連結端と称す）が全体スプリングの垂直中心軸方向に向かってらせん型に伸びているため、上から見た時に前記連結端２４とその真下に位置する前記本体スプリング１０の最上端巻線１２とが互いに交差された状態になる。
【００１９】
したがって、ベッドマットレスに小さい荷重（使用者が寝返る程度の荷重）が加えられた場合には前記露出線スプリング２０でその衝撃を緩衝／吸収し、マットレスに大きな荷重（使用者が瞬間的に座るなどの荷重）が加えられた場合には前記本体スプリング１０でその衝撃を緩衝／吸収する。
【００２０】
このようにベッドマットレスに加えられる荷重の大きさによって、前記本体スプリングと露出線スプリングとでその緩衝機能を別途に行うことで、スプリングの変形防止及び寿命延長効果を得ることができる。
【００２１】
しかし、露出線スプリングを有する従来のスプリング７００は下記のような短所がある。
【００２２】
添付した図１２に図示されたように、ベッドマットレスに荷重が加えられると同時に露出線スプリング２０の圧縮が行われ、同時に前記上端スプリング１６の終端と前記露出線スプリング２０とを結ぶ連結端２４にも圧縮荷重が加えられると、前述したように上から見た時に前記連結端２４とその真下に位置する前記本体スプリング１０の最上端巻線１２とが互いに交差された状態にあるため、前記連結端２４が下降しながらその真下に位置した前記本体スプリング１０の最上端巻線１２に触れて接触騒音が発生するという短所がある。
【００２３】
また、ベッドマットレスに大きな荷重が加えられた場合には、前記露出線スプリング２０が圧縮されると同時に前記本体スプリング１０が圧縮されるため、前記露出線スプリング２０が圧縮される時に前記連結端２４が同時に下降しながら前記本体スプリング１０の最上端巻線１２に更に大きな衝撃で触れ、結局騒音が更に大きく発生してしまう。
【００２４】
このように、ベッド用マットレスの使用時、スプリングによる接触騒音は使用者へ大きなストレスとなるため、結局ベッド用マットレス製品の致命的な短所になり得る。
【００２５】
また、前記連結端２４が本体スプリング１０の最上端巻線１２に反復的に摩擦接触をすると、早いうちにスプリング自体の変形を招いたりもする。
【００２６】
また、ベッドマットレスに加えられる荷重の方向が垂直または斜め方向など一定ではないため、本体スプリングに比べて剛性が弱い露出線スプリングは側方向に簡単に変位するという問題点がある。
【００２７】
このように露出線スプリングが一方方向に変位されると、マットレスの局部が陥没するという現象と合わせて、マットレス全体にわたり均一なクッション感を提供することができなくなる。
【発明の開示】
【発明が解決しようとする課題】
【００２８】
本発明は前記のような問題点を勘案し、露出線スプリングに荷重が加えられた時、ｉ）露出線スプリングが本体スプリングの上下端巻線に触れない接触防止機能と、ii）露出線スプリングが側方向に変位されず垂直方向にのみ安定的に上下降するように案内する剛性発揮機能を同時に有する構造に改善させた接触防止及び剛性補強構造を有するベッドマットレス用スプリングを提供することにその目的がある。
【課題を解決するための手段】
【００２９】
前記目的を達成するための本発明の一具現例は、
コイル形態の本体スプリングと、この本体スプリングの上下部に水平に巻かれた上端及び下端スプリングと、前記上端スプリングの上側一体に形成された露出線スプリングと、前記上端スプリングと露出線スプリングとを結ぶ連結端を含むベッドマットレス用スプリング構造において、前記上端スプリングと露出線スプリング一体を結ぶ連結端に前記本体スプリングの最上端巻線の外側に位置された前記上端スプリングの終端から上方向にＺ字に折り曲げられた第１接触防止／剛性補強端を形成することを特徴とする接触防止及び剛性補強構造を有するベッドマットレス用スプリングを提供する。
【００３０】
前記目的を達成するための本発明の別の具現例は、
コイル形態の本体スプリングと、前記本体スプリングの上下部に水平に巻かれた上端及び下端スプリングと、前記上端スプリングの上側一体に形成された露出線スプリングと、前記上端スプリングと露出線スプリングとを結ぶ連結端を含むベッドマットレス用スプリング構造において、前記上端スプリングと露出線スプリング一体を結ぶ連結端に前記本体スプリングの最上端巻線の外側に位置された前記上端スプリングの終端から上方向にＺ字に折り曲げられた第１接触防止／剛性補強端を形成し、前記第１接触防止／剛性補強端の下側に位置された前記本体スプリングの最上端巻線にも上方向にＺ字に折り曲げられた第２接触防止端／剛性補強端を形成することを特徴とする接触防止及び剛性補強構造を有するベッドマットレス用スプリングを提供する。
【００３１】
前記目的を達成するための本発明の別の具現例は、
コイル形態の本体スプリングと、前記本体スプリングの上下部に水平に巻かれた上端及び下端スプリングと、前記上端スプリングの上側一体に形成された露出線スプリングと、前記上端スプリングと露出線スプリングとを結ぶ連結端を含むベッドマットレス用スプリング構造において、前記上端スプリングと露出線スプリング一体を結ぶ連結端に前記本体スプリングの最上端巻線の外側に位置された前記上端スプリングの終端から上方向にＺ字に折り曲げられた第１接触防止／剛性補強端を形成し、前記下端スプリングの下側一体に露出線スプリングを更に形成しながら、前記下端スプリングと露出線スプリングとの間の連結端に前記第１接触防止／剛性補強端を同様に更に形成することを特徴とする接触防止及び剛性補強構造を有するベッドマットレス用スプリングを提供する。
【００３２】
前記目的を達成するための本発明の別の具現例は、
コイル形態の本体スプリングと、前記本体スプリングの上下部に水平に巻かれた上端及び下端スプリングと、前記上端スプリングの上側一体に形成された露出線スプリングと、前記上端スプリングと露出線スプリングとを結ぶ連結端を含むベッドマットレス用スプリング構造において、前記上端スプリングと露出線スプリング一体を結ぶ連結端に前記本体スプリングの最上端巻線の外側に位置された前記上端スプリングの終端から上方向にＺ字に折り曲げられた第１接触防止／剛性補強端を形成し、前記第１接触防止／剛性補強端の下側に位置された前記本体スプリングの最上端巻線に上方向にＺ字に折り曲げられた第２接触防止／剛性補強端を形成し、前記下端スプリングの下側一体に露出線スプリングを更に形成しながら、前記下端スプリングと露出線スプリングとの間の連結端に前記第１接触防止／剛性補強端を同様に更に形成すると同時に前記下端スプリングから本体スプリングの最下端巻線に連結される部分に前記第２接触防止／剛性補強端を同様に更に形成することを特徴とする接触防止及び剛性補強構造を有するベッドマットレス用スプリングを提供する。
【００３３】
前記目的を達成するための本発明の別の具現例は、
コイル形態の本体スプリングと、前記本体スプリングの上下部に水平に巻かれた上端及び下端スプリングと、前記上端スプリングの上側一体に形成された露出線スプリングと、前記上端スプリングと露出線スプリングとを結ぶ連結端を含むベッドマットレス用スプリング構造において、前記上端スプリングと露出線スプリング一体を結ぶ連結端に前記本体スプリングの最上端巻線の外側に位置された前記上端スプリングの終端からＺ字に折り曲げられた第１接触防止／剛性補強端を形成し、前記第１接触防止／剛性補強端の下側に位置された前記本体スプリングの最上端巻線にＺ字に折り曲げられた第２接触防止／剛性補強端を形成し、前記下端スプリングから本体スプリングの最下端巻線に連結される部分に前記第２接触防止／剛性補強端を同様に更に形成することを特徴とする接触防止及び剛性補強構造を有するベッドマットレス用スプリングを提供する。
【００３４】
好ましくは、前記第１及び第２接触防止／剛性補強端の高さは５〜６０ｍｍであることを特徴とする。
【００３５】
また、前記本体スプリングの垂直軸に対する前記第１及び第２接触防止／剛性補強端のＺ字の角度は０°〜７０°の範囲であることを特徴とする。
【発明の効果】
【００３６】
本発明によるベッドマットレス用スプリング構造によると、ベッドマットレス用本体スプリングと露出線スプリングとを結ぶ連結端の構造を本体スプリングの最上端巻線に触れない構造及び露出線スプリングを支持する剛性増大構造に改善し、下記のような長所を提供する。
【００３７】
１)本体スプリングと露出線スプリングとを結ぶ連結端に第１接触防止／剛性補強端を形成し、マットレスに加えられる荷重により露出線スプリングが圧縮される時、前記第１接触防止／剛性補強端が下降しながら本体スプリングの最上端巻線に全く触れないため接触騒音を源泉的に防止することができ、摩擦接触によるスプリングの変形を容易に防止することができ、露出線スプリングの軸方向変位を防止しながら垂直方向にのみ上下降の移動をすることができる。
【００３８】
２）第１接触防止／剛性補強端以外に上端スプリングと本体スプリングとの間に第２接触防止／剛性補強端を更に形成し、前記第１接触防止／剛性補強端が下降しながら第２接触防止／剛性補強端の後方空間に位置するか、または更に下方に下降しても本体スプリングの最上端巻線を接触することなくそのまま通り過ぎるため、接触騒音を更に源泉的に防止することができ、摩擦接触によるスプリングの変形もまた防止することができ、露出線スプリングの側方向への変位を防止できる、更に大きな剛性構造を提供する。
【００３９】
３）結局、ｉ）露出線スプリングが本体スプリングの上下端巻線に触れない接触防止機能と、ii）露出線スプリングが側方向に変位せずに垂直方向にのみ安定的に上下降するように案内する剛性発揮機能を同時に提供し、スプリングの変形防止及び寿命延長効果を得ることができる。
【発明を実施するための最良の形態】
【００４０】
以下、本発明の具現例を添付図面を参照にして更に詳しく説明する。
【００４１】
添付した図１ａ、図１ｂ、図１ｃは各々本発明の具現例１によるベッドマットレス用スプリングを表した斜視図、正面図、側面図で、添付した図２ａ、図２ｂ、図２ｃは具現例１によるスプリングで構成された組立体を表した斜視図、正面図、側面図で、そして、図３ａ及び図３ｂは具現例１によるスプリングの圧縮作用を説明する正面図及び側面図である。
【００４２】
前述した通り、ベッドマットレスに加えられる荷重の大きさによって、その緩衝機能を別途に行うベッドマットレス用スプリングは、コイル形態の本体スプリング１０と、前記本体スプリング１０の上下部に水平に巻かれた上端及び下端スプリング１６，１８と、前記上端スプリング１６の上側一体に形成された露出線スプリング２０と、前記上端スプリング１６と露出線スプリング２０一体を結ぶ連結端２４を含めて構成される。
【００４３】
特に、前記露出線スプリング２０は本体スプリング１０より小さい直径を有しながら次第に狭くなり、コイル形態に巻かれた形状を有する。
【００４４】
前記本体スプリング１０及び露出線スプリング２０を含むベッドマットレス用スプリング単品はマットレス全体にわたり左右等間隔で配列されると同時に、互いに隣り合うベッドマットレス用の上端スプリング１６及び下端スプリング１８の一側端がらせんコイル２６（helical coil）により互いに結合、固定され、添付した図２ａ乃至図２ｃに図示されたようなスプリング組立体２８へと作られる。
【００４５】
ここで、本発明の具現例１によるスプリング１００は前記上端スプリング１６と露出線スプリング２０一体を連結する連結端に前記本体スプリング１０の最上端巻線の外側に位置された前記上端スプリングの終端から上方向にＺ字に折り曲げられた第１接触防止／剛性補強端３０を形成した点を特徴がある。
【００４６】
より詳しくは、前記第１接触防止／剛性補強端３０は、前記本体スプリング１０の最上端巻線１２の外側に位置された前記上端スプリング１６の終端から上方向（垂直方向）にＺ字に折り曲げられた部分である。
【００４７】
更に詳しくは、上から見た時、前記第１接触防止／剛性補強端３０は交差されたり重なることなく前記本体スプリング１０の最上端巻線１２の外側に位置された状態になり、それにより前記露出線スプリング２０の圧縮時に同時に下降する第１接触防止／剛性補強端３０は前記本体スプリング１０の最上端巻線１２に接触することなくそのまま下降し、そのため従来の二重緩衝構造を有するスプリング（図１１ａ、図１１ｂ、図１１ｃ、図１２参照）で発生していた接触現象及び騒音を防止することができる。
【００４８】
このように、本発明の具現例１によるスプリング構造、即ち前記連結端２４に第１接触防止／剛性補強端３０が具備されることにより、図３ａ及び図３ｂから分かるように、ベッドマットレスに荷重が加えられると共に露出線スプリング２０が圧縮される時、前記第１接触防止／剛性補強端３０は真下に位置する前記本体スプリング１０の最上端巻線１２に接触することなくそのまま下降移動をし、結局接触騒音自体を完全になくすことができる。
【００４９】
特に、前記第１接触防止／剛性補強端３０はＺ字に折り曲げられながらその剛性が増大された状態、即ち前記露出線スプリング２０を支持する剛性が増大された状態になることで、前記露出線スプリング２０に荷重が加えられると同時に発生していた露出線スプリング２０の側方向への変位が発生しなくなり、結局露出線スプリング２０は垂直方向にのみ安定的に上下降する状態になるため均一なクッション感を提供する役割をすることになる。
【００５０】
より詳しくは、前記第１接触防止／剛性補強端３０がＺ字に折り曲げられながらその剛性が増大された状態になることによって、第１接触防止／剛性補強端３０自体が側方向に曲がったり傾いたりする現象が全く発生しなくなり、その上側の露出線スプリング２０を安定的に支持する役割をし、結果的に前記露出線スプリング２０に荷重が加えられた時、露出線スプリング２０は側方向への変位が発生せずに垂直方向にのみ安定的に上下降する作用をして均一なクッション感を提供する役割をすることになる。
【００５１】
ここで、本発明によるベッドマットレス用スプリング構造の具現例２を説明すると下記の通りである。
【００５２】
添付した図４ａ、図４ｂ、図４ｃは本発明によるベッドマットレス用スプリングの具現例２を表した斜視図で、図５ａ、図５ｂ、図５ｃは具現例２によるスプリングで構成された組立体を表した斜視図、正面図、側面図で、そして、図６ａ及び図６ｂは具現例２によるスプリングの圧縮作用状態を説明する正面図及び側面図である。
【００５３】
本発明の具現例２によるスプリング２００は、具現例１のスプリング１００の構造と同一だが、前記本体スプリング１０の最上端巻線１２にＺ字に折り曲げられた第２接触防止／剛性補強端３２を更に形成した点に特徴がある。
【００５４】
より詳しくは、前記本体スプリング１０の最上端巻線１２の終端部分と前記上端スプリング１６の始端部分との間の連結部位に第２接触防止／剛性補強端３２が上方向にＺ字に折り曲げられて形成される。
【００５５】
図４ｂの側面図から分かるように、前記第２接触防止／剛性補強端３２の後方空間（本体スプリングの最上端巻線の真上の空間）が接触防止空間３４として形成されるが、その理由はベッドマットレスに荷重が加えられて露出線スプリング２０が圧縮される時、前記第１接触防止／剛性補強端３０が下降しながら第２接触防止／剛性補強端３２の後方空間に位置されながら、前記本体スプリング１０の最上端巻線１２との接触が全く発生しなくなる。
【００５６】
一方、図４ｄに図示された通り、前記第２接触防止／剛性補強端３２を下端スプリング１８の最下端巻線１４にも同様に更に形成し、本体スプリング１０に対する支持及び弾性強度をより補強することができる。
【００５７】
添付した図４ｄそして図６ａ及び図６ｂから分かるように、ベッドマットレスに荷重が加えられて露出線スプリング２０が圧縮される時、前記第１接触防止／剛性補強端３０も下降し、前記第２接触防止／剛性補強端３２の後方空間、即ち接触防止空間３４に位置され、結局前記第１接触防止／剛性補強端３０と本体スプリング１０の最上端巻線１２との間に接触が全く発生しなくなるため接触騒音の発生を源泉的に防止することができ、このような作動と同時に表れる効果として、前記第１接触防止／剛性補強端３０が下降する時、前記下端スプリング１８の最下端巻線１４に形成された第２接触防止／剛性補強端３２が本体スプリング１０を支持する役割をするため前記本体スプリング１０の弾性強度を更に増大させることができる。
【００５８】
また、前記露出線スプリング２０が圧縮される時、第１及び第２接触防止／剛性補強端３０，３２はＺ字に折り曲げられながらその剛性が更に増大された状態、即ち前記露出線スプリング２０を支持する剛性が更に増大された状態になることで、前記露出線スプリング２０に荷重が加えられると同時に発生していた露出線スプリング２０の側方向への変位が発生しなくなり、結局露出線スプリング２０は垂直方向にのみ安定的に上下降する状態になるため均一なクッション感を提供する役割をすることになる。
【００５９】
このように、本発明の具現例１及び具現例２によるスプリング構造によると、前記のような第１及び第２接触防止／剛性補強端３０，３２の接触防止機能により騒音発生を完全に防止することができ，剛性が増大された状態であるため露出線スプリング２０の側方向への変位を防止することができる。
【００６０】
一方、前記第１及び第２接触防止／剛性補強端３０，３２の高さは５〜６０ｍｍの範囲とし、高さを限定した理由は５ｍｍ以下であると第１及び第２接触防止／剛性補強端３０，３２の形成作業自体が難しくなり、６０ｍｍ以上であるとスプリング本然の能力を喪失するためである。
【００６１】
また、前記本体スプリング１０の垂直軸に対する前記第１及び第２接触防止／剛性補強端３０，３２の傾度は０°〜７０°の範囲に限定するが、その理由は０°であると露出線スプリング２０の剛性が最も良好で、７０°以上であると露出線スプリング２０の剛性が弱くなると共に露出線スプリング２０の衝撃吸収機能が低下するためである。
【００６２】
添付した図７は本発明によるベッドマットレス用スプリングの具現例３で、具現例１のスプリングと同一だが、その下端部に露出線スプリングが連結された状態を表した側面図である。
【００６３】
図７に図示された具現例３のスプリング３００の特徴は、前記露出線スプリング２０を上端スプリング１６の上側だけでなく下端スプリング１８の下側一体にも連結した点にあり、もちろん前記下端スプリング１８及び露出線スプリング２０との間にも接触騒音防止及び剛性補強のために第１接触防止／剛性補強端３０が同様に更に形成される。
【００６４】
添付した図８は本発明によるベッドマットレス用スプリングの具現例４で、具現例２のスプリングと同一だが、その下端部に露出線スプリングが連結された状態を表した側面度である。
【００６５】
図８に図示された具現例４のスプリング４００の特徴は、前記露出線スプリング２０を上端スプリング１６の上側だけでなく下端スプリング１８の下側一体にも連結した点にあり、もちろん前記下端スプリング１８及び露出線スプリング２０との間に第１接触防止／剛性補強端３０が形成されると同時に、下端スプリング１８と本体スプリング１０の最下端巻線１４との間に第２接触防止／剛性補強端３２が形成される。
【００６６】
添付した図９ａ及び図９ｂは本発明によるベッドマットレス用スプリングの具現例５で、従来のコイルスプリングの上端部に露出線スプリングが連結された状態を表した斜視図である。
【００６７】
図９ａ及び図９ｂに図示された具現例５のスプリング５００の特徴は、従来のコイル形態のスプリング（図１０ａ及び図１０ｂ参照）の上端スプリング１６に、または上端及び下端スプリング１８に前記露出線スプリング２０を一体に連結した点にあり、同様に前記上端および下端スプリングの少なくとも一方と前記露出線スプリング２０との間の連結端に第１接触防止／剛性補強端３０が形成される。
【００６８】
このように本発明によると、スプリングの種類に関係なく本体スプリング１０の上部に、または上部及び下部に露出線スプリング２０を連結して使用することができ、この露出線スプリング２０が連結された場合には前記のように第１接触防止／剛性補強端３０のみを、または第１及び第２接触防止／剛性補強端３０，３２を形成してスプリング間の接触及びその接触による騒音を防止させることができ、そして露出線スプリング２０の支持剛性を補強して露出線スプリング２０が側方向に変位せず垂直方向にのみ上下降するように案内することができる。
【００６９】
以上、説明した本発明の各具現例によるスプリングの構造は、
ｉ）前記上端スプリング１２とその上側の露出線スプリング２０との間の連結部位にＺ字形状の第１接触防止／剛性補強端３０を形成するか、または、
ii）前記上端スプリング１２とその上側の露出線スプリング２０との間の連結部位にＺ字形状の第１接触防止／剛性補強端３０を形成すると同時に、前記本体スプリング１０の最上端巻線１２から上端スプリング１６に続く部分にＺ字形状の第２接触防止／剛性補強端３２を形成するか、または、
iii）前記上端スプリング１２とその上側の露出線スプリング２０との間の連結部位にＺ字形状の第１接触防止／剛性補強端３０を形成すると同時に、前記下端スプリング１８とその下側の露出線スプリング２０との間の連結部位にＺ形状の第１接触防止／剛性補強端３０を同様に更に形成するか、または、
iv）前記上端スプリング１２とその上側の露出線スプリング２０との間の連結部位にＺ字形状の第１接触防止／剛性補強端３０を形成すると同時に、前記本体スプリング１０の最上端巻線１２から上端スプリング１６に続く部分にＺ字形状の第２接触防止／剛性補強端３２を形成し、前記下端スプリング１８とその下側の露出線スプリング２０との間の連結部位にＺ字形状の第１接触防止／剛性補強端３０を同様に更に形成すると同時に、下端スプリング１８から本体スプリング１０の最下端巻線１４に続く部分にＺ字形状の第２接触防止／剛性補強端３２を同様に更に形成するか、または、
ｖ）前記上端スプリング１２とその上側の露出線スプリング２０との間の連結部位にＺ字形状の第１接触防止／剛性補強端３０を形成すると同時に前記本体スプリング１０の最上端巻線１２から上端スプリング１６に続く部分にＺ字形状の第２接触防止／剛性補強端３２を形成し、前記下端スプリング１８から本体スプリング１０の最下端巻線１４に続く部分にＺ字形状の第２接触防止／剛性補強端３２を同様に更に形成させた、
二重の緩衝構造を有するスプリングとして、ベッドマットレスに加えられる荷重の大きさによって前記本体スプリングと露出線スプリングでその緩衝機能を別途に行うことで、安定的で均一なクッション間を提供することができる。
【００７０】
特に、前記第１接触防止／剛性補強端３０または第１及び第２接触防止／剛性補強端３０，３２は、ｉ）露出線スプリングが本体スプリングの上下端巻線に触れない接触防止機能と、ii）露出線スプリングが側方向に変位されずに垂直方向にのみ安定的に上下降するように案内する剛性発揮機能を同時に提供し、結局スプリングの変形防止及び寿命延長効果を得ることができる。
【図面の簡単な説明】
【００７１】
【図１ａ】図１ａは、本発明によるベッドマットレス用スプリングの具現例１を表した斜視図である。
【図１ｂ】図１ｂは、本発明によるベッドマットレス用スプリングの具現例１を表した正面図である。
【図１ｃ】図１ｃは、本発明によるベッドマットレス用スプリングの具現例１を表した側面図である。
【図２ａ】図２ａは、具現例１によるスプリングで構成された組立体を表した斜視図である。
【図２ｂ】図２ｂは、具現例１によるスプリングで構成された組立体を表した正面図である。
【図２ｃ】図２ｃは、具現例１によるスプリングで構成された組立体を表した側面図である。
【図３ａ】図３ａは、具現例１によるスプリングの圧縮作用を説明する正面図である。
【図３ｂ】図３ｂは、具現例１によるスプリングの圧縮作用を説明する側面図である。
【図４ａ】図４ａは、本発明によるベッドマットレス用スプリングの具現例２を表した斜視図である。
【図４ｂ】図４ｂは、本発明によるベッドマットレス用スプリングの具現例２を表した正面図である。
【図４ｃ】図４ｃは、本発明によるベッドマットレス用スプリングの具現例２を表した側面図である。
【図４ｄ】図４ｄは図４ｃと類似するが、下端スプリングにも第２接触防止端が更に形成された状態を表した側面図である。
【図５ａ】図５ａは、具現例２によるスプリングで構成された組立体を表した斜視図である。
【図５ｂ】図５ｂは、具現例２によるスプリングで構成された組立体を表した正面図である。
【図５ｃ】図５ｃは、具現例２によるスプリングで構成された組立体を表した側面図である。
【図６ａ】図６ａは、具現例２によるスプリングの圧縮作用を説明する正面図である。
【図６ｂ】図６ｂは、具現例２によるスプリングの圧縮作用を説明する側面図である。
【図７】図７は、本発明によるベッドマットレス用スプリングの具現例３で、具現例１のスプリングと同一だが、その下端部に露出線スプリングが連結された状態を表した側面図である。
【図８】図８は、本発明によるベッドマットレス用スプリングの具現例４で、具現例２のスプリングと同一だが、その下端部に露出線スプリングが連結された状態を表した側面図である。
【図９ａ】図９ａは、本発明によるベッドマットレス用スプリングの具現例５で、従来のコイルスプリングの上端部に露出線スプリングが連結された状態を表した斜視図であり、露出線スプリングが上部に形成された状態を表す。
【図９ｂ】図９ｂは、本発明によるベッドマットレス用スプリングの具現例５で、従来のコイルスプリングの上端部に露出線スプリングが連結された状態を表した斜視図であり、露出線スプリングが上部及び下部に形成された状態を表す。
【図１０ａ】図１０ａは、従来のスプリング構造を表した斜視図である。
【図１０ｂ】図１０ｂは、従来のスプリング構造を表した側面図である。
【図１１ａ】図１１ａは、従来の二重緩衝構造を有するスプリング構造を表した斜視図である。
【図１１ｂ】図１１ｂは、従来の二重緩衝構造を有するスプリング構造を表した正面図である。
【図１１ｃ】図１１ｃは、従来の二重緩衝構造を有するスプリング構造を表した側面図である。
【図１２】図１２は、図１１ａ及び図１１ｂのスプリングが有する短所を説明するために別の角度から表した斜視図である。
【図１３】図１３は、通常のベッドマットレス構造を説明するための断面図である。
【符号の説明】
【００７２】
１０    本体スプリング
１２    最上端巻線
１４    最下端巻線
１６    上端スプリング
１８    下端スプリング
２０    露出線スプリング
２４    連結線
２６    らせんコイル
２８    スプリング組立体
３０    第１接触防止端／剛性補強端
３２    第２接触防止端／剛性補強端
３４    接触防止空間
１００，２００，３００，４００，５００，６００，７００，８００，９００  スプリング
【図１ａ】
2007275543.tif 000003
【図１ｂ】
2007275543.tif 000004
【図１ｃ】
2007275543.tif 000005
【図２ａ】
2007275543.tif 000006
【図２ｂ】
2007275543.tif 000007
【図２ｃ】
2007275543.tif 000008
【図３ａ】
2007275543.tif 000009
【図３ｂ】
2007275543.tif 000010
【図４ａ】
2007275543.tif 000011
【図４ｂ】
2007275543.tif 000012
【図４ｃ】
2007275543.tif 000013
【図４ｄ】
2007275543.tif 000014
【図５ａ】
2007275543.tif 000015
【図５ｂ】
2007275543.tif 000016
【図５ｃ】
2007275543.tif 000017
【図６ａ】
2007275543.tif 000018
【図６ｂ】
2007275543.tif 000019
【図７】
2007275543.tif 000020
【図８】
2007275543.tif 000021
【図９ａ】
2007275543.tif 000022
【図９ｂ】
2007275543.tif 000023
【図１０ａ】
2007275543.tif 000024
【図１０ｂ】
2007275543.tif 000025
【図１１ａ】
2007275543.tif 000026
【図１１ｂ】
2007275543.tif 000027
【図１１ｃ】
2007275543.tif 000028
【図１２】
2007275543.tif 000029
【図１３】
2007275543.tif 000030